(57)【要約】【課題】卓上グラインダ等の回転工具４が露呈し電源を切っても、数分間刃物や砥石等の工具が暫時、回転し続ける工具回転式工作機等における使用後の接触事故及び停止作業忘れを防ぐ工具回転停止機能付き安全カバー装置を提供する。【解決手段】危険領域である作業部６で露呈した回転工具４を覆うため、ほぼ扇形の開閉式安全カバー１を設け、開閉検知用スイッチ２を設け、開閉式安全カバー１と連動させることにより、工作機使用後、開閉式安全カバー１で回転工具４を完全に覆い開閉検知用スイッチで閉鎖信号を検出し工具回転式工作機械を停止するように構成した。【選択図】図１
2014012326.tif 000002
【特許請求の範囲】
【請求項１】
工具回転式工作機用の安全カバー装置であって、開閉可能であり、閉状態で前記工具回転式工作機の危険領域を覆う安全カバーと、前記安全カバーの開閉を検知する検知部と、前記検知部からの信号により前記工具回転式工作機の作動を制御する制御部と、を含み、前記検知部は、前記安全カバーの開状態を検知して、前記工具回転式工作機を始動する信号を制御部に送り、さらに、前記検知部は、前記安全カバーの閉状態を検知して、前記工具回転式工作機を停止する信号を制御部に送ることを特徴とする、安全カバー装置。
【請求項２】
前記安全カバーの開閉は、前記工具回転式工作機を使用する者が手動で行う、請求項１に記載の安全カバー装置。
【発明の詳細な説明】
【技術分野】
【０００１】本発明は、工作機等の安全装置に係り、特に工具が回転し停止後数分間工具が回転を続ける工具回転式工作機等を使用する作業者等の接触事故等の防止の為の安全カバー装置に関する。
【背景技術】
【０００２】従来の工具回転式工作機械等では作業終了時に回転を続ける回転工具との接触をしないように本体カバーで回転工具を覆い接触を防止し、起動スイッチ、停止スイッチはカバーとは別に設置されていた。（例えば、特許文献１参照）。
【先行技術文献】
【特許文献】
【０００３】
【特許文献１】特開平１０−１５６７２１号公報
【発明の概要】
【発明が解決しようとする課題】
【０００４】しかしながら前記の従来のような構成のみでは諸作業者等に対しての安全対策としては完全ではなく作業終了時に工具は回転を続け露呈された回転工具との接触の危険性がある。【０００５】そこで、本発明は、前記の課題に示した不都合な点に鑑みて、不使用時には回転工具が露呈しないようにして作業者等の安全を確保するための手段の提供を目的としている。
【課題を解決するための手段】
【０００６】すなわち、本発明は、工具回転式工作機用の安全カバー装置であって、開閉可能であり、閉状態で工具回転式工作機の危険領域を覆う安全カバーと、安全カバーの開閉を検知する検知部と、検知部からの信号により工具回転式工作機の作動を制御する制御部とを含み、検知部は、安全カバーの開状態を検知して、工具回転式工作機を始動する信号を制御部に送り、さらに、検知部は、安全カバーの閉状態を検知して、工具回転式工作機を停止する信号を制御部に送ることを特徴とする、安全カバー装置である。  また、別の本発明は、安全カバーの開閉は、前記工具回転式工作機を使用する者が手動で行う、安全カバー装置である。
【発明の効果】
【０００７】本発明によれば、工作機等において、作業終了後に作業者等が怪我をする恐れのある危険領域のある場合に、回転工具を完全に覆う安全カバーを設け連動スイッチを連動するよう構成したため、使用後の回転工具との接触事故及び停止作業忘れを作業者の負担なく、防ぐことが出来、安全性を継続的に確保することができる。
【図面の簡単な説明】
【０００８】
【図１】この発明の工具回転式工作機の安全カバー装置の開閉蓋を開状態にしたときの工具のカバー部分を示す要部側面図
【図２】この発明の工具回転式工作機の安全カバー装置の開閉蓋を閉状態にしたときの工具のカバー部分を示す要部側面図
【図３】この発明の工具回転式工作機の安全カバー装置の開閉蓋を閉状態にしたときの工具のカバー部分を示す要部正面図
【図４】本実施例の安全装置のブロック構成図
【発明を実施するための形態】
【０００９】この発明の工作機等の安全カバー装置について、図面に示す実施例にもとづいて説明する。図１この発明の工具回転式工作機等の安全カバー装置の安全カバー装置の開閉蓋を開状態にしたときの工具のカバー部分を示す要部側面図である。図２この発明の工作機等の安全カバー装置の開閉蓋を閉状態にしたときの工具のカバー部分を示す要部側面図である。図３この発明の工作機械の安全カバー装置の開閉蓋を閉状態にしたときの工具のカバー部分を示す要部正面図である。図４本実施例の安全装置のブロック構成図である。
【００１０】開閉可能で閉状態で工具回転式工作機の危険領域を覆う開閉式安全カバー１は  グラインダ等の工作機械本体９における砥石等の回転工具４が回転し、危険領域である作業部６において作業者等が対象加工部材を加工する作業を中断、終了した場合、開閉式安全カバー１を手動で閉状態にすることにより、回転工具４を被覆するカバーであり、開閉式安全カバー１が閉状態の場合は回転工具４が本体カバー５から露出した部分を、完全に隠蔽する形成してある。  開閉式安全カバー１の開閉を検地する検知部である開閉検知用スイッチ２は、前記工具回転式工作機の始動、停止を制御するスイッチであり、前記検知部からの信号により前記工具回転式工作機を制御する制御部である工作機械制御装置８を含む電気制御ボックス３をつうじて、回転工具４の駆動装置を制御する。
【００１１】この発明のグラインダ等の工具回転式工作機等の安全カバー装置について図面に基づき動作を以下に説明する。開閉検知用スイッチ２は手動で開閉する開閉式安全カバー１に連動し、閉状態から開状態に変化した場合、回転工具４を工作機械制御装置８により駆動状態にし、開状態から閉状態に変化した場合、回転工具４を工作機械制御装置８により静止する。
【実施例】
【０００１２】（構成例）図１は開閉式安全カバー装置が備えられた工作機械の外観構成図であり、円軌軌道で開閉自由な開閉式安全カバー１や開閉検知用スイッチ２が設けられている。【００１３】図４は本実施例の安全装置のブロック構成図である。【００１４】工作機械本体９は工作機械制御装置８により制御される。この工作機械制御装置８は開閉検知用スイッチ７から開放及び閉鎖の信号を受け工作機械本体９の動作を制御する。【００１５】この開閉式安全カバー装置は作業者によって作業時に開閉式安全カバーを開放する事により始動し、停止させるために開閉式安全カバーを閉鎖させるため作業終了時に回転工具への接触及び停止作業を防止することができる。
【産業上の利用可能性】
【００１６】以上説明したように、本発明によれば、工作機械等において、作業終了後に作業者等が怪我をする恐れのある危険領域のある場合に、回転工具を完全に覆う安全カバーを設け連動スイッチを連動するよう構成したため、使用後の回転工具との接触事故及び停止作業忘れを作業者の負担なく、防ぐことが出来、安全性を継続的に確保することができる。
【符号の説明】
【００１７】  １  開閉式安全カバー
２  開閉検知用スイッチ
３  電気制御ボックス
４  回転工具
５  本体カバー
６  作業部
７  開閉検知用スイッチ
８  工作機械制御装置
９  工作機械本体
【図１】
2014012326.tif 000003
【図２】
2014012326.tif 000004
【図３】
2014012326.tif 000005
【図４】
2014012326.tif 000006